(57)【要約】【課題】本発明は、ファクシミリ装置通信によりデジタルカメラ画像を送受信することによって、パソコンを使わずにデジタルカメラ画像を送信したり、画像の一覧を作成して、受信した画像を選択することが容易にできるネットワークファクシミリ装置を提供することを目的とする。【解決手段】本発明のネットワークファクシミリ装置によれば、メモリカードに保存されているデジタルカメラで撮影した画像データを読み込み、インデックスページを作成する。【選択図】　　　　図３
2004040635.tif 000002
【特許請求の範囲】
【請求項１】
スキャナから入力された画像データやメモリカードに保存されているデジタルカメラで撮影した画像データを通常回線網やインターネット網を介して他のファクシミリ装置やホスト装置にファクシミリ送信するネットワークファクシミリ装置において、メモリカードに保存されているデジタルカメラで撮影した画像データを読み込み、インデックスページを作成することを特徴とするネットワークファクシミリ装置。
【請求項２】
前記メモリカードに保存されているデジタルカメラで撮影した画像にサムネイルがある場合には、サムネイルを使用したインデックスページを作成する請求項１記載のネットワークファクシミリ装置。
【請求項３】
前記メモリカードに保存されているデジタルカメラで撮影した画像を読み込み、作成したインデックスページをＷｅｂブラウザから参照する請求項１記載のネットワークファクシミリ装置。
【請求項４】
前記メモリカードに保存されているデジタルカメラで撮影した画像を読み込み、作成したインデックスページをＷｅｂブラウザから編集する請求項１又は３に記載のネットワークファクシミリ装置。
【請求項５】
前記メモリカードに保存されているデジタルカメラで撮影した画像を読み込み、ポーリング送信する請求項１記載のネットワークファクシミリ装置。
【発明の詳細な説明】
【０００１】
【発明の属する技術分野】
本発明はネットワークファクシミリ装置に関し、特にメモリカードに保存されているデジタルカメラで撮影した画像データを読み込んで各種機能を有するネットワークファクシミリ装置に関する。
【０００２】
【従来の技術】
ネットワークファクシミリ装置は、電子メール送受信の機能やＷｅｂブラウザによる設定情報の参照および編集ができるなど、これまでのネットワークインターフェイスを持たないファクシミリ装置には無かった多くの機能を持っている。一方、デジタルカメラとパソコンとのデータのやり取りは、各種メモリカードを使用して簡単に行うことができるが、ファクシミリ装置とデジタルカメラとの間で画像データのやり取りができる製品は、ごく一部の製品に限られているのが現象である。そこで、特開２００２−９９９５号公報（以下従来例１と称す）では、ファクシミリ装置に装着したメモリカードへのデータの書き込みと読みとりができるファクシミリ装置が提案されている。特開２００２−１００４５号公報（以下従来例２と称す）、特開２００２−１００４６号公報（以下従来例３と称す）、特開２００２−１００４９号公報（以下従来例４と称す）は、いずれも従来例１と同様の技術に基づいたものである。これらの従来例１〜４に共通している点はデジタルカメラの写真をファクシミリ装置に送信するときに必要と思われる技術である。
【０００３】
【発明が解決しようとする課題】
しかしながら、上記従来例１〜４のいずれにも、画像の一覧を生成する機能に言及しておらず、またネットワークファクシミリ装置では可能となるようなインターネットを利用した機能が無い。デジタルカメラの画像は、パソコンに取り込むことにより、画像ファイルを電子メールに添付して他の人に容易に送信することができる。しかし、インターネットの接続を持たない人に対してデジタルカメラ画像を送信したいときは電子メールを利用する場合に比べて手間がかかる。
【０００４】
本発明はこれらの問題を解決するためのものであり、ファクシミリ装置通信によりデジタルカメラ画像を送受信することによって、パソコンを使わずにデジタルカメラ画像を送信したり、画像の一覧を作成して、受信した画像を選択することが容易にできるネットワークファクシミリ装置を提供することを目的とする。
【０００５】
【課題を解決するための手段】
前記問題点を解決するために、スキャナから入力された画像データやメモリカードに保存されているデジタルカメラで撮影した画像データを通常回線網やインターネット網を介して他のファクシミリ装置やホスト装置にファクシミリ送信する、本発明のネットワークファクシミリ装置によれば、メモリカードに保存されているデジタルカメラで撮影した画像データを読み込み、インデックスページを作成することに特徴がある。よって、メモリカードに保存されている画像の一覧をファクシミリ送信することを可能にする。
【０００６】
また、メモリカードに保存されているデジタルカメラで撮影した画像にサムネイルがある場合には、サムネイルを使用したインデックスページを作成することにより、インデックスページ作成処理時間を短縮することができる。
【０００７】
更に、メモリカードに保存されているデジタルカメラで撮影した画像を読み込み、作成したインデックスページをＷｅｂブラウザから参照することにより、利便性を高めることができる。
【０００８】
また、メモリカードに保存されているデジタルカメラで撮影した画像を読み込み、作成したインデックスページをＷｅｂブラウザから編集することにより、利便性を高めることができる。
【０００９】
更に、メモリカードに保存されているデジタルカメラで撮影した画像を読み込み、ポーリング送信することにより、より一層利便性を高めることができる。
【００１０】
【発明の実施の形態】
本発明のネットワークファクシミリ装置によれば、メモリカードに保存されているデジタルカメラで撮影した画像データを読み込み、インデックスページを作成する。
【００１１】
【実施例】
図１は本発明のネットワークファクシミリ装置を適用するネットワークの構成を示す概略図である。同図において、本発明のネットワークファクシミリ装置１００は、電話網（以下ＰＳＴＮと略す）２００を介して、複数のファクシミリ装置３００にＦＡＸ通信可能に接続されており、またデジタルカメラ４００により撮影した画像が格納されたメモリカード５００のインターフェースを備えている。更に、ネットワークファクシミリ装置１００は、ＬＡＮ８００を介して、メールサーバ６００、複数のパソコン７００、更にはＰＳＴＮ２００を介して他のネットワークファクシミリ装置１００やパソコン７００に接続されている。このようなネットワーク構成において、ネットワークファクシミリ装置１００は、メモリカード５００のインターフェースを備えているので、各種メモリカード５００からデータ（画像）を読み込んだり保存したりすることができる。ネットワークファクシミリ装置１００は、ＰＳＴＮ２００またはＩＳＤＮネットワークを通じて、ファクシミリ装置３００の送受信を行うことが可能である。更に、ＬＡＮインターフェースを備えているので、ＬＡＮ８００上のパソコン７００とも電子メールの送受信やパソコン７００からのファクシミリ装置３００への送信依頼を受信することも可能である。ＬＡＮがインターネットに接続されているならば、インターネットに接続されているパソコン７００からの電子メールを受信したり、電子メールを送信したりすることができる。ネットワークファクシミリ装置１００はＷＷＷサーバを搭載しているので、ネットワーク上のパソコンのブラウザから、ネットワークファクシミリ装置１００内に記憶されているＷｅｂページを閲覧することが可能である。
【００１２】
図２は本発明の一実施例に係るネットワークファクシミリ装置の構成を示すブロック図である。同図において、本実施例のネットワークファクシミリ装置１００は、ＣＰＵ１０１、ＲＯＭ１０２、ＲＡＭ１０３、タイマ制御部１０４、オペポートＩ／Ｆ部１０５、ハードディスクＩ／Ｆ部１０６、通信制御部１０７、網制御部１０８、符号化復号化部１０９、スキャナＩ／Ｆ部１１０、プロッタＩ／Ｆ部１１１、ＳＲＡＭ１１２、ＬＡＮ通信制御部１１３、キャラクタジェネレータ１１４及びメモリカード１１６のインターフェースであるメモリカードＩ／Ｆ部１１５を含み、各構成部は内部バス１１７を介して接続されている。そして、ＣＰＵ１０１は、全体の制御を司る。ＲＯＭ１０２は、各種プログラムを格納する。ＲＡＭ１０３は、画情報等の情報を一時格納するものである。タイマ制御部１０４は、時間を制御するものである。オペポートＩ／Ｆ部１０５は、図示しない操作部とのインターフェースを取り、ハードディスクＩ／Ｆ部１０６は、図示しないハードディスクとインターフェースする。また、通信制御部１０７は、ＦＡＸ通信を制御する。網制御部１０８は、ＰＳＴＮと電気的インターフェースを取る。符号化復号化部１０９は、ＦＡＸ通信に必要な画像情報の圧縮、伸長（ＪＰＥＧ圧縮・伸長を含む）を行う。スキャナＩ／Ｆ部１１０は、図示しないスキャナとインターフェースを取る。プロッタＩ／Ｆ部１１１は、図示しないプロッタ部とインターフェースを取る。ＳＲＡＭ１１２は、電源断に対して情報を保持するものである。更に、文字のフォント情報を保持するキャラクタジェネレータ１１４等に加えてＬＡＮ通信制御部１１３が装着されている。また、ＬＡＮ通信制御部１１３は物理層としてＥｔｈｅｒｎｅｔ（登録商標）に対応し、ＴＣＰ／ＩＰプロトコルや電子メール通信を行うためのＭＩＭＥ（Ｍｕｌｔｉ−ｐｕｒｐｏｓｅ　Ｉｎｔｅｒｎｅｔ　Ｍａｉｌ　Ｅｘｔｅｎｓｉｏｎｓ）変換やＳＭＴＰ（Ｓｉｍｐｌｅ　Ｍａｉｌ　Ｔｒａｎｓｆｅｒ　Ｐｒｏｔｏｃｏｌ）送信する。また、Ｗｅｂページを表示するためのＨＴＴＰプロトコルを実装している。メモリカードＩ／Ｆ部１１５は、コンパクトフラッシュ（登録商標）、ＰＣＭＣＩＡカード、ＳＤカード、メモリスティックなど各種メモリカードとのデータの読み取り、書き込みなどを制御し、メモリカード１１６と接続することができる。
【００１３】
図３は本実施例のネットワークファクシミリ装置のソフトウェア機能を示すブロック図である。同図において、データ制御部１３０は、印刷制御部１３１、スキャナ制御部１３２、ＦＡＸプロトコル１３３、モデム制御部１３４、メール制御部１３５、ＬＡＮ制御部１３６及びメモリカードＩ／Ｆ制御部１３７をそれぞれ制御する。また、ＬＡＮ制御部１３６はＬＡＮドライバ１３８を、メモリカードＩ／Ｆ部１３７はメモリカードドライバ１３９を、各々制御する。そして、メモリカードＩ／Ｆ制御部１３７によりメモリカードから読み込んだ画像データを後述するようなインデックスページ作成やＷｅｂブラウザからの参照及び編集等の処理を施す。
【００１４】
次に、本実施例のネットワークファクシミリ装置を用い、デジタルカメラで撮影したデジタルカメラ画像の処理について以下説明する。なお、デジタルカメラ画像は、社団法人　日本電子工業振興協会が定めた標準規格であるＤＣＦ（Ｄｅｓｉｇｎ　ｒｕｌｅ　ｆｏｒ　Ｃａｍｅｒａ　Ｆｉｌｅ）に準拠したディレクトリ構造でメモリカードに記録されている。記録されている個々の画像は、同じく社団法人　日本電子工業振興協会が定めた標準規格であるＥｘｉｆ（Ｅｘｃｈａｎｇｅａｂｌｅ　Ｉｍａｇｅ　Ｆｉｌｅ　Ｆｏｒｍａｔ）に準拠している。
【００１５】
本実施例のネットワークファクシミリ装置は、メモリカードから読み取ったデータをこれら標準規格に従って解析し、デジタルカメラ画像を処理する。読み取ったデジタルカメラの画像から、それぞれの画像のインデックスとして図４のような画像を得るためには、以下の処理が必要である。デジタルカメラ画像のフォーマットはフルカラーのＪＰＥＧ画像である。これをデコードし、ビットマップ画像を得る。インデックス画像をカラーでファクシミリ装置送信する場合は、再びＪＰＥＧに変換する必要があるが、ファクシミリ装置で使用されるカラー画像の色空間は、ＣＩＥＬＡＢであるため、ＹｃｂＣｒからＣＩＥＬＡＢへの変換が必要となる。モノクロでファクシミリ装置送信する場合は、カラー画像を２値画像に減色処理し、さらにＭＨ，　ＭＲ，　ＭＭＲ，　ＪＢＩＧ（登録商標）などモノクロ画像用の圧縮方式で、エンコードする必要がある。読み込んだデジタルカメラの画像は、ファクシミリ装置が通常扱う画像サイズに比較して大きいため、インデックスを作成するためには、各画像を縮小した画像（サムネイル）が必要である。図４はサムネイルと画像ファイルの名前をアルバムのように配置したレイアウトとしたインデックスページの例である。同図に示すように、作成されたインデックスページは、カラーまたはモノクロフォーマットでファクシミリ装置のメモリに保存される。利用者は、オペレーションパネルを操作して、保存されているインデックスページの送信を指示することができる。また、サムネイル画像を作成するために、原画像を縮小する方法を用いていた。一方、デジタルカメラ画像はサムネイル画像（１６０×１２０画素）を含んでいる場合がある。デジタルカメラ画像のサムネイル画像をインデックスページに挿入する縮小画像として用いることにより、ネットワークファクシミリ装置が自前で画像を縮小する処理が不要となり、処理時間の短縮が図れる。
【００１６】
また、デジタルカメラ画像のインデックスページをＨＴＭＬ形式で作成する。作成したＨＴＭＬファイルをブラウザで表示した結果を図５に示す。編集可能なＨＴＭＬファ
イルへのリンクがあるインデックスページの例を示す。左上の
【編集モード】ハイパーリンクをクリックすることにより、ＨＴＭＬ文書を編集可能なＨＴＭＬ文書を開くことができる。ＨＴＭＬファイルのコンテンツとしては、上記のように作成したサムネイル画像、またはデジタルカメラ画像のサムネイル画像を表形式に配置し、画像の下にファイル名を表示するとよい。また、画像およびファイル名にはハイパーリンクを設定し、画像およびファイル名をクリックすると、原画像が表示されるようにするとよい。原画像が表示される様子を図６に示す。更に、ＨＴＭＬ文書にＪａｖａ（登録商標）Ｓｃｒｉｐｔなどのスクリプト言語を含めることによって、パソコン上のブラウザから、ネットワークファクシミリ装置に保存されているＨＴＭＬ文書を書き換えるコマンドを実行することができる。
【００１７】
図７は編集可能なＨＴＭＬ文書の例である。デジタルカメラ画像のサムネイル下のボタンをクリックすることにより、コマンドが実行され、ネットワークファクシミリ装置内のＨＴＭＬ文書が動的に更新される。ここでは、「削除」「並べ替え」ボタンを表示している。それぞれのボタンを押すと、インデックスページから画像が削除できたり、表示の順番を変更することができるようになっている。
【００１８】
また、デジタルカメラ画像をネットワークファクシミリ装置に読み込み、インデックスページを作成する。このとき、デジタルカメラ画像をポーリング送信できるファイルとして登録する。ポーリングＩＤには、例えばデジタルカメラ画像のファイル名の数字部分を用いるとよい。図８は、ポーリング送信用のＩＤを追加したインデックスページの例である。デジタルカメラ画像を受信したい利用者は、ネットワークファクシミリ装置に対してＩＤポーリング受信を行う。この際、予め図８のポーリングＩＤ情報を含んだインデックスページが手元にあれば、ＩＤポーリング受信により、容易に受信したい画像を選択することができる。
【００１９】
なお、本発明は上記実施例に限定されるものではなく、特許請求の範囲内の記載であれば多種の変形や置換可能であることは言うまでもない。
【００２０】
【発明の効果】
以上説明したように、スキャナから入力された画像データやメモリカードに保存されているデジタルカメラで撮影した画像データを通常回線網やインターネット網を介して他のファクシミリ装置やホスト装置にファクシミリ送信する、本発明のネットワークファクシミリ装置によれば、メモリカードに保存されているデジタルカメラで撮影した画像データを読み込み、インデックスページを作成することに特徴がある。よって、メモリカードに保存されている画像の一覧をファクシミリ送信することを可能にする。
【００２１】
また、メモリカードに保存されているデジタルカメラで撮影した画像にサムネイルがある場合には、サムネイルを使用したインデックスページを作成することにより、インデックスページ作成処理時間を短縮することができる。
【００２２】
更に、メモリカードに保存されているデジタルカメラで撮影した画像を読み込み、作成したインデックスページをＷｅｂブラウザから参照することにより、利便性を高めることができる。
【００２３】
また、メモリカードに保存されているデジタルカメラで撮影した画像を読み込み、作成したインデックスページをＷｅｂブラウザから編集することにより、利便性を高めることができる。
【００２４】
更に、メモリカードに保存されているデジタルカメラで撮影した画像を読み込み、ポーリング送信することにより、より一層利便性を高めることができる。
【図面の簡単な説明】
【図１】本発明のネットワークファクシミリ装置を適用するネットワークの構成を示す概略図である。
【図２】本発明の一実施例に係るネットワークファクシミリ装置の構成を示すブロック図である。
【図３】本実施例のネットワークファクシミリ装置のソフトウェア機能を示すブロック図である。
【図４】デジタルカメラの画像のインデックスを示す図である。
【図５】作成したＨＴＭＬファイルをブラウザで表示した結果を示す図である。
【図６】原画像が表示される様子を示す図である。
【図７】編集可能なＨＴＭＬ文書の例である。
【図８】ポーリング送信用のＩＤを追加したインデックスページの例である。
【符号の説明】
１００；ネットワークファクシミリ装置、１０１；ＣＰＵ、１０２；ＲＯＭ、
１０３；ＲＡＭ、１０４；タイマ制御部、１０５；オペポートＩ／Ｆ部、
１０６；ハードディスクＩ／Ｆ部、１０７；通信制御部、１０８；網制御部、
１０９；符号化復号化部、１１０；スキャナＩ／Ｆ部、
１１１；プロッタＩ／Ｆ部、１１２；ＳＲＡＭ、１１３；ＬＡＮ通信制御部、
１１４；キャラクタジェネレータ、１１５；メモリカードＩ／Ｆ部、
１１６；メモリカード、１１７；内部バス。
【図１】
2004040635.tif 000003
【図２】
2004040635.tif 000004
【図３】
2004040635.tif 000005
【図４】
2004040635.tif 000006
【図５】
2004040635.tif 000007
【図６】
2004040635.tif 000008
【図７】
2004040635.tif 000009
【図８】
2004040635.tif 000010